【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
１次巻線及び２次巻線を有するトランスと、
前記１次巻線に直列に接続された第１のスイッチング素子と、
前記第１のスイッチング素子に並列に接続された第１のダイオードと、
前記１次巻線に並列に接続された第２のスイッチング素子と、
前記第２のスイッチング素子に並列に接続された第２のダイオードと、
前記第１のスイッチング素子及び前記第２のスイッチング素子をオン又はオフするスイッチング動作を制御する第１の制御手段と、
を備える電源装置において、
前記第１の制御手段は、前記電源装置から出力する電圧が第１の電圧の場合に、前記第１のスイッチング素子及び前記第２のスイッチング素子を連続的に駆動し、前記電源装置から出力する電圧が前記第１の電圧よりも小さい第２の電圧の場合に、前記第１のスイッチング素子及び前記第２のスイッチング素子を連続的に駆動する駆動期間と前記第１のスイッチング素子及び前記第２のスイッチング素子を停止させる休止期間とを繰り返すように前記スイッチング動作を制御することが可能であって、
前記１次巻線に接続され、電荷を蓄える蓄電手段と、
前記蓄電手段に直列に接続されており、前記蓄電手段を充電または放電可能な接続状態と、非接続状態に切り替わる接続手段と、
を備え、
前記第１の制御手段は、前記接続手段を前記接続状態にしてから前記第１のダイオード及び前記第２のダイオードのいずれか一方に電流が流れている間に、電流が流れている方のダイオードと並列に接続されたスイッチング素子をターンオンさせることにより、前記休止期間から前記駆動期間に移行することを特徴とする電源装置。
【請求項２】
前記蓄電手段は、前記１次巻線に直列に接続され、直列に接続された前記１次巻線とともに前記第２のスイッチング素子に並列に接続されている第１のコンデンサであり、
前記接続手段は、第３のスイッチング素子と、前記第３のスイッチング素子に並列に接続された第３のダイオードと、を含み、
前記第１の制御手段は、前記休止期間から前記スイッチング動作が再開される場合に、前記第３のスイッチング素子をオン状態にして前記第１のコンデンサに蓄えられた電荷を放電させることで前記第２のダイオードに電流が流れている間に、前記第２のスイッチング素子をターンオンするように制御することを特徴とする請求項１に記載の電源装置。
【請求項３】
交流電源に接続され、平滑コンデンサを有する１次側の整流平滑手段を備え、
前記第１の制御手段は、前記駆動期間から前記休止期間に移行する場合に、前記第１のスイッチング素子及び前記第２のスイッチング素子をオフ状態にするとともに前記第３のスイッチング素子を非接続状態とし、前記１次巻線に蓄えられたエネルギーを前記第１のダイオードを介して前記平滑コンデンサに帰還させ、前記第３のダイオードに電流を流すことにより、前記第１のコンデンサを充電することを特徴とする請求項２に記載の電源装置。
【請求項４】
前記２次巻線に接続された第４のスイッチング素子と、
前記第４のスイッチング素子に並列に接続された第４のダイオードと、
前記第４のスイッチング素子に接続された２次側の平滑コンデンサと、
前記第４のスイッチング素子をオン又はオフさせることにより同期整流動作を制御する第２の制御手段と、
を備え、
前記蓄電手段は、前記２次側の平滑コンデンサであり、
前記接続手段は、前記第４のスイッチング素子であり、
前記第２の制御手段は、前記第４のスイッチング素子をオン状態にして前記２次側の平滑コンデンサに蓄えられた電荷を放電させることで前記第１のダイオードに電流が流れている間に、前記第１のスイッチング素子をターンオンするように制御することを特徴とする請求項１に記載の電源装置。
【請求項５】
前記第２の制御手段は、前記第１のスイッチング素子をターンオンした後に前記第４のスイッチング素子をオフ状態とすることを特徴とする請求項４に記載の電源装置。
【請求項６】
前記２次巻線に接続された第４のスイッチング素子と、
前記第４のスイッチング素子に並列に接続された第４のダイオードと、
前記第４のスイッチング素子に接続された２次側の平滑コンデンサと、
前記第４のスイッチング素子をオン又はオフさせることにより同期整流動作を制御する第２の制御手段と、
を備え、
前記蓄電手段は、前記２次側の平滑コンデンサであり、
前記接続手段は、前記第４のスイッチング素子であり、
前記第２の制御手段は、前記第４のスイッチング素子をオン状態にして前記２次側の平滑コンデンサに蓄えられた電荷を放電させることで前記第１のダイオードに電流が流れ終わった後に前記第２のダイオードに電流が流れている間に、前記第２のスイッチング素子をターンオンするように制御することを特徴とする請求項１に記載の電源装置。
【請求項７】
前記第２の制御手段は、前記第２のスイッチング素子をターンオンする前に前記第４のスイッチング素子をオフ状態とすることを特徴とする請求項６に記載の電源装置。
【請求項８】
前記第２の制御手段は、前記第１の制御手段から報知された情報に基づいて前記第４のスイッチング素子をオン状態とすることを特徴とする請求項４から請求項７のいずれか１項に記載の電源装置。
【請求項９】
前記２次巻線に誘起された電圧に応じた信号を前記第１の制御手段にフィードバックするフィードバック手段を備え、
前記第１の制御手段は、前記フィードバック手段によりフィードバックされた信号に基づいて前記休止期間から前記駆動期間に移行することを判断することを特徴とする請求項１から請求項８のいずれか１項に記載の電源装置。
【請求項１０】
前記第１の制御手段は、前記フィードバック手段によりフィードバックされた信号に基づいて前記スイッチング動作を停止して前記休止期間に移行することを判断することを特徴とする請求項９に記載の電源装置。
【請求項１１】
共振外れを検知する検知手段を備え、
前記第１の制御手段は、前記検知手段により前記共振外れを検知した場合、前記スイッチング動作を停止させて前記休止期間に移行し、前記休止期間から前記スイッチング動作に復帰する際には、前記接続手段を前記接続状態にして前記蓄電手段に蓄えられた電荷を放電させることで前記第１のダイオード及び前記第２のダイオードのいずれか一方に電流が流れている間に、前記ダイオードに電流が流れている方のスイッチング素子をターンオンすることを特徴とする請求項１から請求項１０のいずれか１項に記載の電源装置。
【請求項１２】
記録材に画像形成を行う画像形成手段と、
請求項１から請求項１１のいずれか１項に記載の電源装置と、
を備えることを特徴とする画像形成装置。
【手続補正２】
【補正対象書類名】明細書
【補正対象項目名】０００７
【補正方法】変更
【補正の内容】
【０００７】
（１）１次巻線及び２次巻線を有するトランスと、前記１次巻線に直列に接続された第１のスイッチング素子と、前記第１のスイッチング素子に並列に接続された第１のダイオードと、前記１次巻線に並列に接続された第２のスイッチング素子と、前記第２のスイッチング素子に並列に接続された第２のダイオードと、前記第１のスイッチング素子及び前記第２のスイッチング素子をオン又はオフするスイッチング動作を制御する第１の制御手段と、を備える電源装置において、前記第１の制御手段は、前記電源装置から出力する電圧が第１の電圧の場合に、前記第１のスイッチング素子及び前記第２のスイッチング素子を連続的に駆動し、前記電源装置から出力する電圧が前記第１の電圧よりも小さい第２の電圧の場合に、前記第１のスイッチング素子及び前記第２のスイッチング素子を連続的に駆動する駆動期間と前記第１のスイッチング素子及び前記第２のスイッチング素子を停止させる休止期間とを繰り返すように前記スイッチング動作を制御することが可能であって、前記１次巻線に接続され、電荷を蓄える蓄電手段と、前記蓄電手段に直列に接続されており、前記蓄電手段を充電または放電可能な接続状態と、非接続状態に切り替わる接続手段と、を備え、前記第１の制御手段は、前記接続手段を前記接続状態にしてから前記第１のダイオード及び前記第２のダイオードのいずれか一方に電流が流れている間に、電流が流れている方のダイオードと並列に接続されたスイッチング素子をターンオンさせることにより、前記休止期間から前記駆動期間に移行することを特徴とする電源装置。